(57)【要約】      （修正有）【課題】地域のガイドブックとしての役割を果たす包装商品を提供する。【解決手段】商品１１を小包装体１２で包んだ複数の小包装品１０Ａと、各小包装品を収納する大包装体と、を備える包装商品であって、小包装体１２には、所定の地域内に存在する観光スポットの紹介情報が表され、紹介情報は、観光スポットを紹介するための画像情報１２１及び文字情報１２２からなるとともに、観光スポットが地域内に複数存在することにより、各観光スポットに対応する複数の紹介情報があり、文字情報１２２は、観光スポットを特定可能な名称１２２ａ及び特徴１２２ｂを含む情報からなり、複数の小包装体１２には、一の観光スポットに対応する一の紹介情報が表され、複数の小包装体１２の集合体により、地域全体を一の観光地とした観光ガイド情報が集約され、大包装体には、地域の名称及び観光地の名称のうちの少なくともいずれか一方が大見出しとして表される。【選択図】図３
2015231855.tif 000002
【特許請求の範囲】
【請求項１】
所定の商品の全部又は一部を小包装体で包んだ複数の小包装品と、前記複数の小包装品を収納する大包装体と、を備える包装商品であって、
前記小包装体には、所定の地域内に存在する観光スポットを紹介する紹介情報が表され、
前記紹介情報は、前記観光スポットを紹介するための画像情報及び文字情報からなるとともに、前記観光スポットが前記地域内に複数存在することにより、それぞれの前記観光スポットに対応する複数の前記紹介情報があり、
前記文字情報は、前記観光スポットを特定可能な名称及び前記観光スポットの特徴を含む情報からなり、
複数の前記小包装体には、一の前記観光スポットに対応する一の前記紹介情報が表され、
前記紹介情報の表された複数の前記小包装体の集合体により、前記地域全体を一つの観光地とした観光ガイド情報が集約され、
前記大包装体には、前記地域の名称及び前記観光地の名称のうちの少なくともいずれか一方の名称を特定可能な情報が大見出しとして表される
ことを特徴とする包装商品。
【請求項２】
前記大包装体に、前記観光スポットを特定可能な名称が中見出しとして表された
ことを特徴とする請求項１記載の包装商品。
【請求項３】
前記小包装体及び前記大包装体のうちの少なくともいずれか一方には、
前記地域を特定可能な地図とともに当該地図上において前記観光スポットの位置を特定可能な地図情報が表される
ことを特徴とする請求項１又は２記載の包装商品。
【請求項４】
前記小包装体及び前記大包装体のうちの少なくともいずれか一方には、
前記観光スポットの所在地、最寄りの所定ランドマークから前記観光スポットへのルート情報、前記観光スポットの電話番号、及び前記観光スポットを紹介するインターネット上のホームページアドレスのうちの少なくともいずれか一つが表される
ことを特徴とする請求項１〜３いずれか一項に記載の包装商品。
【発明の詳細な説明】
【技術分野】
【０００１】
本発明は、所定の観光スポットに関する紹介情報を外装に付した包装商品に関する。
【背景技術】
【０００２】
所定の観光スポットに関する紹介情報を外装に付した包装商品としては、例えば、特許文献１には、観光地のイラストマップ又は観光スポット写真などを印刷した包装材を有する容器が提案されている。
また、特許文献２には、特定の地域の土産物と、土産物を梱包した包装体と、包装体内に収納された土産物を産する特定の地域に関する紹介情報が記憶されている記録媒体と、を備える記録媒体付き土産物が提案されている。
【先行技術文献】
【特許文献】
【０００３】
【特許文献１】特開２００８−２７３６１６号公報
【特許文献２】特開２００５−２２５５１９号公報
【発明の概要】
【発明が解決しようとする課題】
【０００４】
ところで、一つの観光地には、通常、見どころとなる観光スポットが複数の存在しており、各観光スポットはそれぞれの特徴を有している。このように複数の観光スポットそれぞれの特徴を一つのパッケージ内においてすべて表すことは困難であり、すべてを表したとしても複雑な態様となることから、見るものにとって観光情報として伝わりにくいという欠点がある。
【０００５】
そこで、本発明は、複数の小包装品と、複数の小包装品を収納する大包装体と、を備える包装商品において、各小包装品の外装それぞれに各観光スポットに対応する紹介情報を表すことにより、複数の小包装品の集合体によって一の地域の観光ガイド情報が得られる包装商品の提供を目的とする。
【課題を解決するための手段】
【０００６】
上記目的を達成するため、本発明の包装商品は、所定の商品の全部又は一部を小包装体で包んだ複数の小包装品と、前記複数の小包装品を収納する大包装体と、を備える包装商品であって、前記小包装体には、所定の地域内に存在する観光スポットを紹介する紹介情報が表され、前記紹介情報は、前記観光スポットを紹介するための画像情報及び文字情報からなるとともに、前記観光スポットが前記地域内に複数存在することにより、それぞれの前記観光スポットに対応する複数の前記紹介情報があり、前記文字情報は、前記観光スポットを特定可能な名称及び前記観光スポットの特徴を含む情報からなり、複数の前記小包装体には、一の前記観光スポットに対応する一の前記紹介情報が表され、前記紹介情報の表された複数の前記小包装体の集合体により、前記地域全体を一つの観光地とした観光ガイド情報が集約され、前記大包装体には、前記地域の名称及び前記観光地の名称のうちの少なくともいずれか一方の名称を特定可能な情報が大見出しとして表される構成としてある。
【発明の効果】
【０００７】
本発明によれば、複数の小包装品の集合体により、ある地域全体を一つの観光地とした観光ガイド情報が得られるので、一の包装商品がその地域のガイドブックとしての役割を果たすことができる。
【図面の簡単な説明】
【０００８】
【図１】本発明の包装商品の一実施形態を示す包装形態図である。
【図２】本発明の包装商品の他の実施形態を示す包装形態図である。
【図３】本発明の小包装品の一実施形態であり、富士山を観光スポットとしたときの一表示態様を示す図である。
【図４】本発明の小包装品の一実施形態であり、富岡製糸を観光スポットとしたときの一表示態様を示す図である。
【図５】本発明の小包装品の一実施形態であり、仙台（仙台城）を観光スポットとしたときの一表示態様を示す図である。
【図６】本発明の小包装品の一実施形態であり、愛媛県を観光スポットとしたときの一表示態様を示す図である。
【発明を実施するための形態】
【０００９】
本発明に係る包装商品の好ましい実施形態について、図１〜図６を参照して説明する。
【００１０】
本実施形態の包装商品１（１Ａ，１Ｂ）は、図１〜図６に示すように、所定の商品１１を小包装体１２で包んだ複数の小包装品１０（１０Ａ〜１０Ｄ）と、複数の小包装品１０を収納する大包装体２０と、を備えている。
【００１１】
［大包装体］
大包装体２０は、例えば、図１に示す包装商品１Ａでは、所定の樹脂フィルム等により袋状に形成され、図２に示す包装商品１Ｂでは、所定の紙等により箱状（例えば、一対の上箱と下箱）に形成されているが、その形態及び材質は任意である。
【００１２】
大包装体２０には、地域の名称及び観光地の名称のうちの少なくともいずれか一方の名称を特定可能な情報２０１が大見出しとして表されている。
例えば、本実施形態では、図１に示すように、名称を特定可能な情報２０１として、「日本」という国名（地域名）を含む「日本名所めぐり」からなる情報２０１が表されている。
この大見出しとしての情報２０１によって、包装商品１を購入しようとする者は、複数の小包装品１０の集合体により、日本全体を一つの観光地とした観光ガイド情報が集約されていることを認識することができる。また、情報２０１に加えて、特に図示しないが、商品１１の品種を特定可能な情報を表すこともできる。
【００１３】
また、大包装体２０には、複数の観光スポットを特定可能な名称が中見出しとして表されている。
例えば、本実施形態では、図１に示すように、大包装体２０に、「富士山」、「伊達政宗」、「富岡製糸」、「愛媛みかん」の名称が中見出しとして表されている（例えば、四角で囲われた文字）。これらの名称は、小包装体１２に表された各観光スポットを特定可能な名称１２２ａと同一の名称となっている。
これにより、大包装体２０に中見出しとして表される複数の観光スポットを特定可能な名称が目次（インデックス）として機能し、包装商品１を購入しようとする者は、大包装体２０を開封しなくても、紹介情報が得ることのできる観光スポットを一目で認識することができる。
なお、観光スポットを特定可能な名称は、「富士山」、「富岡製糸」、「愛媛みかん」のように具体的な地名、施設名を含む名称とすることもできるが、「伊達政宗」のように間接的に観光スポットとしての「仙台」を特定可能な名称でもよい。
また、大包装体２０に中見出しとして表される観光スポットを特定可能な名称は、小包装品１０に付された紹介情報に係る観光スポットを特定可能な名称１２２ａのすべてが好ましいが、代表する一部の名称でもよく、例えば、「富士山」、「富岡製糸」だけでもよい。
また、大包装体２０に表される中見出しとしての名称は、小包装体１２に表された各観光スポットを特定可能な名称１２２ａと同一であることが好ましいが、名称１２２ａに関連する又は連想させる名称でもよく、例えば、名称１２２ａ「伊達政宗」に対して中見出しの名称は「仙台」でもよい。
また、中見出しとしての名称は、図１に示すように、大包装体２０の裏面ではなく、大見出しとしての情報２０１とともに大包装体２０の表面に表すことが好ましい。
【００１４】
また、大包装体２０には、地域を特定可能な地図とともに当該地図上において、観光スポットの位置を特定可能な地図情報２０２が表される。
例えば、本実施形態では、図１に示すように、大包装体２０に、日本を特定可能な日本地図とともにこの地図上において、「富士山」、「伊達政宗」、「富岡製糸」及び「愛媛みかん」それぞれに対応する観光スポットの位置を特定可能な地図情報２０２が表される。
これにより、包装商品１の購入者は、その地域全体の地図ととともに、その地域における各観光スポットの位置を特定することができる。
なお、地図上における各観光スポットの位置を特定可能に表す態様は、本実施形態では、「棒線」と「●」で表したが、その他の表示態様でもよく、例えば、「富士山」ならば「ふ」の文字を、「富岡製糸」ならば「と」の文字（五十音）などを、地図上のそれぞれの位置に表すこともできる。
また、本実施形態では、地図情報２０２を、情報２０１（大見出し）及び複数の観光スポットを特定可能な名称（中見出し）とともに、大包装体２０の表面に表したが、地図情報２０２のみを大包装体２０の裏面に表すこともできる。
【００１５】
［小包装体］
小包装体１２は、図３〜図６に示す例では、所定の樹脂フィルム等により袋状に形成してあるが、所定の紙等により箱状に形成することもできる。また、本実施形態では商品１１の全部を包む形態を有しているが、商品１１の一部を包む形態でもよい。また、銀紙などで包む形態でもよく、小包装体１２の形態及び材質は任意である。
【００１６】
このような包装形態を有する各小包装体１２には、日本という地域内に存在する観光スポットを紹介する紹介情報が表（印刷）されている。
日本には、複数の観光スポットが存在することから、それぞれの観光スポットに対応する複数の紹介情報がある。
複数の小包装品１０Ａ〜１０Ｄそれぞれに対応する各小包装体１２には、以下に示すように、一の観光スポットに対応する一の紹介情報が表されている。
紹介情報は、観光スポットを紹介するための画像情報１２１及び文字情報１２２からなり、文字情報１２２は、観光スポットを特定可能な名称１２２ａ（中見出しに対応）、及び観光スポットの特徴１２２ｂを含む情報からなる。
【００１７】
具体的には、例えば、図３に示す小包装品１０Ａでは、小包装体１２に観光スポットとして「富士山」を紹介するための画像情報１２１及び文字情報１２２が表されている。
画像情報１２１は、「富士山」の写真又は絵（イラスト）で構成されている。
文字情報１２２は、「富士山」の名称１２２ａ（中見出しに対応）及び「富士山は日本一美しい山です。標高３３７６ｍの活火山です。」などの「富士山」の特徴１２２ｂを含む情報からなる。
これにより、名称１２２ａが小見出しとなり、包装商品１の購入者は、少なくとも名称１２２ａを手掛かりにして小包装品１０Ａ〜１０Ｄの中から小包装品１０Ａを見つけることができるとともに、観光スポットとしての「富士山」の紹介情報を得ることができる。
また、小包装体１２には、「富士山」を紹介するインターネット上のホームページアドレス１２３が表されている。
これにより、包装商品１の購入者は、手持ちの通信端末（例えば、携帯電話、スマートフォン）等を介して「富士山」のさらなる詳細な情報を得ることができる。
【００１８】
図４に示す小包装品１０Ｂでは、小包装体１２に観光スポットとして「富岡製糸」を紹介するための画像情報１２１及び文字情報１２２が表されている。
画像情報１２１は、「富岡製糸」の写真又は絵（イラスト）で構成されている。
文字情報１２２は、「富岡製糸」の名称１２２ａ（中見出しに対応）及び「富岡製糸は１８７２年に誕生した日本で最初の製糸場です。」などの「富岡製糸」の特徴１２２ｂを含む情報からなる。
これにより、名称１２２ａが小見出しとなり、包装商品１の購入者は、少なくとも名称１２２ａを手掛かりにして小包装品１０Ａ〜１０Ｄの中から小包装品１０Ｂを見つけることができるとともに、観光スポットとしての「富岡製糸」の紹介情報を得ることができる。
また、小包装体１２には、「富岡製糸」の電話番号１２３が表されている。
これにより、包装商品１の購入者は、詳細な情報を得るために、手持ちの通信端末等を介して「富岡製糸」に問い合わせることができる。
【００１９】
図５に示す小包装品１０Ｃでは、小包装体１２に観光スポットとして「仙台（仙台城）」を紹介するための画像情報１２１及び文字情報１２２が表されている。
画像情報１２１は、「伊達政宗」の写真又は絵（イラスト）で構成されている。
文字情報１２２は、「伊達政宗（仙台城主）」の名称１２２ａ（中見出しに対応）及び「伊達政宗は江戸時代に活躍した武将で、独眼竜の異名をもつ仙台藩初代藩主です。」などの「伊達政宗」の特徴１２２ｂを含む情報からなる。
これにより、名称１２２ａが小見出しとなり、包装商品１の購入者は、少なくとも名称１２２ａを手掛かりにして小包装品１０Ａ〜１０Ｄの中から小包装品１０Ｃを見つけることができるとともに、観光スポットとしての「仙台（仙台城）」の紹介情報を得ることができる。
また、小包装体１２には、「仙台城」の所在地１２３が表されている。
これにより、包装商品１の購入者は、所在地１２３を手掛かりに「仙台城」へ行くことができる。
【００２０】
図６に示す小包装品１０Ｄでは、小包装体１２に観光スポットとして「愛媛県」を紹介するための画像情報１２１及び文字情報１２２が表されている。
画像情報１２１は、「愛媛みかん」の写真又は絵（イラスト）で構成されている。
文字情報１２２は、「愛媛みかん」の名称１２２ａ（中見出しに対応）及び「温暖な気候で日照時間の長い愛媛県は、生産量日本一のみかん王国です。」などの特徴１２２ｂを含む情報からなる。
これにより、名称１２２ａが小見出しとなり、包装商品１の購入者は、少なくとも名称１２２ａを手掛かりにして小包装品１０Ａ〜１０Ｄの中から小包装品１０Ｄを見つけることができるとともに、観光スポットとしての「愛媛県」の紹介情報を得ることができる。
また、小包装体１２には、「愛媛県」を紹介するインターネット上のホームページアドレス１２３が表されている。
これにより、包装商品１の購入者は、手持ちの通信端末等を介して「愛媛県」のさらなる詳細な情報を得ることができる。
【００２１】
このように、複数の小包装品１０Ａ〜１０Ｄそれぞれに対応する各小包装体１２に、一の観光スポットに対応する一の紹介情報が表されることにより、複数の小包装品１０Ａ〜１０Ｄの集合体により、日本を一つの観光地とした観光ガイド情報を得ることができる。
すなわち、一の包装商品１（１Ａ，１Ｂ）の購入により、商品１１そのものの価値とともに、その地域（日本）のガイドブックとしての利用価値を同時に得ることができる。
また、大包装体２０には、大見出しと中見出し、小包装品１０Ａ〜１０Ｄにはそれぞれ中見出しに対応する名称１２２ａが付されているので、知得したい紹介情報に対応する観光スポットに係る小包装品１０を容易に見つけることができる。
【００２２】
以上説明したように、本実施形態の包装商品１（１Ａ，１Ｂ）によれば、複数の小包装品１０Ａ〜１０Ｄの集合体により、日本を一つの観光地とした観光ガイド情報が得られるので、一の包装商品１がその地域のガイドブックとしての役割を果たすことができる。
【００２３】
以上、本発明の包装商品の好ましい実施形態について説明したが、本発明に係る包装商品は上述した実施形態にのみ限定されるものではなく、以下に示すように、本発明の範囲で種々の変更実施が可能であることはいうまでもない。
【００２４】
例えば、商品１１の品種は特に限定されないが、包装商品１はその地域の土産品としての利用に適していることから、商品１１はその地域の特産品が好ましく、特に、その特産品を活かした食品（例えば、せんべい、クッキーなど）が好ましい。
【００２５】
また、本実施形態では、地域を特定可能な地図とともに当該地図上において観光スポットの位置を特定可能な地図情報を大包装体２０に表したが、これに代えて又はこれに加えて、小包装体１２に表すこともできる。この場合、小包装体１２には、その小包装体１２に表された紹介情報に対応する観光スポットの位置を特定可能な地図情報を表すことが好ましい。
【００２６】
また、本実施形態では、観光スポットの所在地、最寄りの所定ランドマークから観光スポットへのルート情報、観光スポットの電話番号、及び前記観光スポットを紹介するインターネット上のホームページアドレスを小包装体１２に表したが、これに代えて又はこれに加えて、大包装体２０に表すこともできる。
また、最寄りの所定ランドマークから観光スポットへのルート情報は、例えば、最寄りの駅、バス停、施設などのランドマークから観光スポットへ移動可能な交通手段、行き先、所要時間等を含む情報である。
また、これらの情報は文字情報で表すこともできるし、これらの情報を購入者の通信端末等により読み取り可能にコード化した、例えば、ＱＲコード（登録商標）などの二次元コード等で表すこともできる。
【００２７】
また、紹介情報は、大包装体２０に収納されたすべての小包装品１０に対応するそれぞれの小包装体１２に表すこともできるが、それらの一部であって複数の小包装体１２に表すこともできる。この場合、紹介情報の表されていない残りの小包装体１２には紹介情報とは異なる画像及び文字情報を表すこともできる。
また、各小包装体１２に表す紹介情報は、それぞれ異なる種類（内容）となることが好ましいが二以上の小包装体１２に同じ紹介情報を表すこともできる。また、一の小包装体１２に二以上の紹介情報を表すこともできる。
【００２８】
また、本実施形態では、文字情報１２２を、名称１２２ａと特徴１２２ｂとにそれぞれ区分して表したが、文字情報１２２は、観光スポットを特定可能な名称及び観光スポットの特徴を含む情報であれば足りることから、観光スポットの名称及び特徴を一つの文字情報（文章）の中に盛り込んでもよい。
具体的には、例えば、図３に示す例では、「富士山」の名称１２２ａと「富士山」の特徴１２２ｂとにそれぞれ区分して表したが、特徴１２２ｂの中には「富士山」の名称が含まれており、この特徴１２２ｂの中の「富士山」が名称となることから、「富士山」の名称を含む特徴１２２ｂそのものが文字情報１２２となる。そうすると、名称１２２ａは、特徴１２２ｂの中の「富士山」と重複するため、有っても無くてもよい。
また、文字情報１２２は、日本語に限らず、英語などの外国語でもよい。また、二以上の言語を併記することもできる。
【００２９】
また、観光スポットは、購入者が行くことのできる場所であって、神社仏閣などの史跡、景勝地、遊園地・動物園などの施設、ある特産品の産地、ある植物の群生地、ある動物の生息地、歴史上の人物の生誕・ゆかりの地、ある歴史的な事件・出来事が起こった場所、及び評判なグルメ店などが好ましいが、これらに限定されるものではない。
このような観光スポットは、所在地等で特定可能な一定範囲の場所に限定することもできるが、これより広範囲であってもよく、例えば、市町村単位、都道府県単位でもよい。
また、紹介情報は、史跡、景勝地、施設、特産品、植物、動物、歴史上の人物、歴史的な事件・出来事、評判グルメ料理などの画像情報及び文字情報からなり、文字情報は、史跡名、景勝地名、施設名、特産品名、植物名、動物名、歴史上の人物名、歴史的な事件・出来事の名称、評判グルメ料理名などと、これらの特徴を含む情報とからなるが、これらに限定されるものではない。
【００３０】
また、所定の地域は、国、都道府県、市町村、観光地などの単位が好ましい。
所定の地域の単位を、例えば、都道府県、市町村としたときには、各都道府県等で発行されているご当地かるたの絵札を画像情報１２１の全部又は一部として、また、読み札の内容を文字情報１２２の全部又は一部として利用することもできる。
【産業上の利用可能性】
【００３１】
本発明は、複数の小包装品と、複数の小包装品を収納する大包装体と、を備える包装商品に広く利用することができる。
【符号の説明】
【００３２】
１（１Ａ，１Ｂ）  包装商品
１０（１０Ａ〜１０Ｄ）  小包装品
１１  商品
１２  小包装体
１２１  画像情報
１２２  文字情報
１２２ａ  観光スポットを特定可能な名称
１２２ｂ  観光スポットの特徴
１２３  観光スポットの所在地，最寄りの所定ランドマークから観光スポットへのルート情報，観光スポットの電話番号，観光スポットを紹介するインターネット上のホームページアドレス
２０  大包装体
２０１  地域の名称又は観光地の名称を特定可能な情報（大見出し）
２０２  地図情報
【図１】
2015231855.tif 000003
【図２】
2015231855.tif 000004
【図３】
2015231855.tif 000005
【図４】
2015231855.tif 000006
【図５】
2015231855.tif 000007
【図６】
2015231855.tif 000008
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
所定の商品の全部又は一部を小包装体で包んだ複数の小包装品と、前記複数の小包装品を収納する大包装体と、を備える包装商品であって、
前記小包装体には、所定の地域内に存在する観光スポットを紹介する紹介情報が表され、
前記紹介情報は、前記観光スポットを紹介するための画像情報及び文字情報からなるとともに、前記観光スポットが前記地域内に複数存在することにより、それぞれの前記観光スポットに対応する複数の前記紹介情報があり、
前記文字情報は、前記観光スポットの名称及び前記観光スポットの特徴を含む情報からなり、
前記特徴は、前記観光スポットの特徴を解説した文章であり、
複数の前記小包装体には、一の前記観光スポットに対応する一の前記紹介情報が表され、
前記紹介情報の表された複数の前記小包装体の集合体により、前記地域全体を一つの観光地とした観光ガイド情報が集約され、
前記大包装体には、前記地域の名称及び前記観光地の名称のうちの少なくともいずれか一方の名称が大見出しとして表される
ことを特徴とする包装商品。
【請求項２】
前記大包装体に、前記観光スポットの名称が中見出しとして表された
ことを特徴とする請求項１記載の包装商品。
【請求項３】
所定の商品の全部又は一部を小包装体で包んだ複数の小包装品と、前記複数の小包装品を収納する大包装体と、を備える包装商品であって、
前記小包装体には、所定の地域内に存在する観光スポットを紹介する紹介情報が表され、
前記紹介情報は、前記観光スポットを紹介するための画像情報及び文字情報からなるとともに、前記観光スポットが前記地域内に複数存在することにより、それぞれの前記観光スポットに対応する複数の前記紹介情報があり、
前記文字情報は、前記観光スポットの名称を有し、
複数の前記小包装体には、一の前記観光スポットに対応する一の前記紹介情報が表され、
前記紹介情報の表された複数の前記小包装体の集合体により、前記地域全体を一つの観光地とした観光ガイド情報が集約され、
前記大包装体には、前記地域の名称及び前記観光地の名称のうちの少なくともいずれか一方の名称が大見出しとして表されるとともに、前記観光スポットの名称が中見出しとして表される
ことを特徴とする包装商品。
【請求項４】
前記小包装体及び前記大包装体のうちの少なくともいずれか一方には、
前記地域を特定可能な地図とともに当該地図上において前記観光スポットの位置を特定可能な地図情報が表される
ことを特徴とする請求項１〜３のいずれか一項に記載の包装商品。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
所定の商品の全部又は一部を小包装体で包んだ複数の小包装品と、前記複数の小包装品を収納する大包装体と、を備える包装商品であって、
前記小包装体には、所定の地域内に存在する観光スポットを紹介する紹介情報が表され、
前記紹介情報は、前記観光スポットを紹介するための画像情報及び文字情報からなるとともに、前記観光スポットが前記地域内に複数存在することにより、それぞれの前記観光スポットに対応する複数の前記紹介情報があり、
前記複数の紹介情報には、
所定の景勝地の写真又は絵を前記画像情報とする紹介情報と、
所定の施設又は史跡の写真又は絵を前記画像情報とする紹介情報と、
所定の歴史上の人物の写真又は絵を前記画像情報とする紹介情報と、
所定の特産品の写真又は絵を前記画像情報とする紹介情報と、があり、
前記景勝地の写真又は絵を前記画像情報とする紹介情報に対応する前記文字情報は、前記景勝地の特徴を当該景勝地の名称を含む文により表した情報であり、
前記施設又は史跡の写真又は絵を前記画像情報とする紹介情報に対応する前記文字情報は、前記施設又は史跡の特徴を当該施設又は史跡の名称を含む文より表した情報であり、
前記歴史上の人物の写真又は絵を前記画像情報とする紹介情報に対応する前記文字情報は、前記歴史上の人物の特徴を当該歴史上の人物の名称を含む文により表した情報であり、
前記特産品の写真又は絵を前記画像情報とする紹介情報に対応する前記文字情報は、前記特産品の名称と当該特産品の産地の名称とを含む文からなる情報であり、
前記画像情報は、前記写真又は前記絵を囲む線を有し、
前記文字情報は、前記文を囲む線を有し、
複数の前記小包装体には、一の前記観光スポットに対応する一の前記紹介情報が表され、
前記紹介情報の表された複数の前記小包装体の集合体により、前記地域全体を一つの観光地とした観光ガイド情報が集約され、
前記大包装体には、前記地域の名称及び前記観光地の名称のうちの少なくともいずれか一方の名称が大見出しとして表される
ことを特徴とする包装商品。